(57)【特許請求の範囲】
【請求項１】
複数の識別情報が形成されたベルトを回転制御するベルト式可変表示装置を備えた遊技機において、
該ベルト式可変表示装置は、モータによって駆動される１つの駆動回転体と２つの従動回転体からなる３つの回転体のうち、２つの回転体である上部回転体と下部回転体が上下位置であり１つの回転体である前方回転体が前記２つの回転体よりも前方となるように三角形状に配置し、それら３つの回転体間に前記ベルトを掛け渡すと共に、遊技者が視認可能な範囲の前記ベルトを前記上部回転体と前記前方回転体とに掛け渡された傾斜状となるように配置した回転ベルトユニットを備え、
前記ベルトは、帯状ベルトを無端状に形成すると共にその一側端内側に前記識別情報に対応する位置検出指標が形成され、
前記３つの回転体のうち、少なくとも前記駆動回転体の外周一側には、前記位置検出指標と接触しない指標回避凹部を形成したことを特徴とする遊技機。
【請求項２】
前記従動回転体の直径を前記駆動回転体の直径よりも小さくしたことを特徴とする請求項１記載の遊技機。
【請求項３】
前記遊技機は、遊技盤を有する弾球遊技機であり、
前記前方回転体に掛け渡されるベルトの傾斜下端を前記遊技盤の裏面よりも前方に突出させたことを特徴とする請求項１又は請求項２記載の遊技機。
【請求項４】
前記前方回転体と前記下部回転体とを前記従動回転体で構成すると共に、前記前方回転体を前記ベルトに張力を付与する張力付与回転体としたことを特徴とする請求項１乃至請求項３のいずれかに記載の遊技機。
【発明の詳細な説明】
【０００１】
【産業上の利用分野】
本発明は、複数の識別情報が形成されたベルトを回転制御するベルト式可変表示装置を備えた遊技機に関するものである。
【０００２】
【従来の技術】
従来、遊技機、例えば、パチンコ遊技機やアレンジ式パチンコ遊技機等の弾球遊技機、スロットマシン等に使用される可変表示装置として、回転ドラムや回転ベルト等を使用した機械的可変表示装置、あるいは液晶表示器やドットマトリックスＬＥＤ等を使用した電気的可変表示装置等、各種のものが市場に提供されている。しかして、近年、回転動作のダイナミックな印象を付与することができると共に、ある程度薄型化できる利点を有するものとして、複数の回転体（例えば、プーリ）間に掛け渡された回転ベルトを使用した機械的可変表示装置が数多く市場に提供されつつある。このような回転ベルトを使用した可変表示装置は、例えば、実公昭６３−１９０９７号に示されるように、上下一対の回転体にベルトが掛け渡されて遊技者が視認し得る範囲のベルトが垂直状に設けられていた。
【０００３】
【発明が解決しようとする課題】
このため、ベルトの表面に形成される識別情報（図柄とも言う）を限られた大きさの表示窓から視認する場合に、識別情報が小さく見えるという欠点があり、また、識別情報を大きく見せようとする場合には、ベルトの長さを長くする必要があり、このため、可変表示装置が大型化するという欠点があった。本発明は、上記した事情に鑑みなされたもので、その目的とするところは、大型化することなく識別情報を大きく視認できるベルト式可変表示装置を備えた遊技機を提供することにある。
【０００４】
【課題を解決するための手段】
上記した目的を達成するために、本発明においては、
複数の識別情報が形成されたベルトを回転制御するベルト式可変表示装置を備えた遊技機において、
該ベルト式可変表示装置は、モータによって駆動される１つの駆動回転体と２つの従動回転体からなる３つの回転体のうち、２つの回転体である上部回転体と下部回転体が上下位置であり１つの回転体である前方回転体が前記２つの回転体よりも前方となるように三角形状に配置し、それら３つの回転体間に前記ベルトを掛け渡すと共に、遊技者が視認可能な範囲の前記ベルトを前記上部回転体と前記前方回転体とに掛け渡された傾斜状となるように配置した回転ベルトユニットを備え、
前記ベルトは、帯状ベルトを無端状に形成すると共にその一側端内側に前記識別情報に対応する位置検出指標が形成され、
前記３つの回転体のうち、少なくとも前記駆動回転体の外周一側には、前記位置検出指標と接触しない指標回避凹部を形成したことを特徴とするものである。
【０００５】
前記従動回転体の直径を前記駆動回転体の直径よりも小さくすることにより、よりコンパクト化することができる点で有利である。
【０００６】
前記遊技機は、遊技盤を有する弾球遊技機であり、前記前方回転体に掛け渡されるベルトの傾斜下端を前記遊技盤の裏面よりも前方に突出させることにより、弾球遊技機の遊技盤にベルト式可変表示装置を取り付けたときに前後方向の寸法を短くすることができる点で有利である。なお、ベルトの傾斜下端に設けられる回転体を直径の小さな従動回転体とすることにより、遊技盤の裏面よりも前方に突出させた位置に収納することができる。
【０００７】
前記前方回転体と前記下部回転体とを前記従動回転体で構成すると共に、前記前方回転体を前記ベルトに張力を付与する張力付与回転体とすることにより、ベルトの長期間に亘るスムーズな回転を得る点で有利である。
【０００８】
【作用】
ベルト式可変表示装置が、モータによって駆動される１つの駆動回転体と２つの従動回転体からなる３つの回転体のうち、２つの回転体である上部回転体と下部回転体が上下位置であり１つの回転体である前方回転体が前記２つの回転体よりも前方となるように三角形状に配置し、それら３つの回転体間にベルトを掛け渡すと共に、遊技者が視認可能な範囲のベルトを上部回転体と前方回転体とに掛け渡された傾斜状となるように配置した回転ベルトユニットを備えて構成されるので、視認し得るベルトが傾斜状となっているため、その分、識別情報の大きさを大きくすることができると共に、ベルトを三角支持しているので、上下２点支持のものよりベルト周長を長くすることができ、四角形支持のものより小型化することができる。また、３つの回転体のうち、少なくとも駆動回転体の外周一側には、ベルトの一側端内側に形成される位置検出指標と接触しない指標回避凹部を形成したので、長期間の使用によって位置検出指標が駆動回転体との摩擦により摩耗することを防止することができる。
【０００９】
【実施例】
以下、図面を参照して、本発明の実施例について説明する。まず、図１を参照して、実施例に係る遊技機の一例としての弾球遊技機の遊技盤１の構成について説明する。図１は、遊技盤１の拡大正面図である。図において、遊技盤１の表面には、発射された打玉を誘導するための誘導レール２がほぼ円状に植立され、該誘導レール２で区画された領域が遊技領域３を構成している。遊技領域３のほぼ中央上部には、複数（３つ）の回転体としてのフィルムベルト１９０Ａ〜１９０Ｃを有する可変表示装置３０が配置されている。可変表示装置３０は、本実施例の要部を構成するものであり、その詳細な構成は、後に詳述する。
【００１０】
可変表示装置３０の下方には、前記フィルムベルト１９０Ａ〜１９０Ｃの回転を許容する始動入賞口４が設けられている。この始動入賞口４に入賞した入賞玉は、遊技盤１の裏面に導かれて始動入賞玉検出器５によって検出される。なお、始動入賞口４への入賞に基づく可変表示装置３０の回転は、所定回数（例えば、４回）記憶され、その旨が可変表示装置３０に設けられる始動入賞記憶表示ＬＥＤ３９によって表示されるようになっている。
【００１１】
前記可変表示装置３０の下方に入賞領域７を有する可変入賞球装置６が設けられている。可変入賞球装置６は、前記遊技盤１に取り付けられる取付基板を有し、その取付基板の上部に長方形状の入賞領域７が開設されている。この入賞領域７には、下端両サイドを軸支して、取付基板に対して垂直方向に開閉自在とされる開閉板８によって塞がれている。この開閉板８は、開閉板用ソレノイド９によって開閉制御され、開成中には、遊技盤１の表面を落下する打玉を受止めて入賞領域７に導き入賞玉とする。また、入賞領域７の内部は、２つに区画され、その右側に特定入賞口が設定され、左側に通常入賞口が設定される。特定入賞口には、特定玉検出器１０が設けられ、また、通常入賞口に入賞した打玉を検出する入賞玉検出器１１も設けられている。この特定玉検出器１０及び入賞玉検出器１１で検出された打玉数は、入賞領域７の下方に設けられる入賞個数表示器１３に表示される。また、開閉板８の左右側方には、前記特定入賞口に入賞して特定玉検出器１０をＯＮしたときに、継続権が成立した旨を報知するＶ表示ＬＥＤ１２が設けられている。更に、可変入賞球装置６の取付基板の左右部には、通常の入賞口１４が一体的に形成されている。
【００１２】
しかして、上記のように構成される可変入賞球装置６は、以下のように作動する。即ち、打玉が始動入賞口４に入賞して始動入賞玉検出器５をＯＮさせると、可変表示装置３０のフィルムベルト１９０Ａ〜１９０Ｃが回転を開始し、一定時間（例えば、５秒）が経過すると、左側・右側・中央の順でフィルムベルト１９０Ａ〜１９０Ｃが順次停止され、すべてのフィルムベルト１９０Ａ〜１９０Ｃの停止時の識別情報の組み合せが所定の表示態様となったときに特定遊技状態となる。そして、この特定遊技状態においては、可変入賞球装置６の開閉板８が所定期間（例えば、２５秒経過するまで、あるいは１０個の入賞玉が発生するまで）開放するように設定され、その開放している間遊技盤１の表面を落下する打玉を受止めるようになっている。そして、入賞領域７内に設けられた特定入賞口に入賞すると、再度上記した開放状態を繰り返し、特定入賞口に入賞玉が発生する毎に開放状態を最高１６回繰り返すことができるようになっている。
【００１３】
更に、遊技盤１の表面には、前記可変表示装置３０の上部左右側方に風車ランプ１５が設けられ、下部側方に通過口１６と該通過口１６に連続する通常の入賞口１７とが設けられている。通過口１６は、遊技領域３を落下する打玉が単に通過するもので、その通過した打玉を下部の入賞口１７に導く。また、前記風車ランプ１５は、前記特定遊技状態時や始動入賞時等に点灯又は点滅してその旨を報知するものであり、同様な機能を有するものとして、遊技領域３の左右にサイドランプ１８及び飾りランプ１９が設けられている。
【００１４】
なお、遊技領域３の入口部分の内側誘導レール２の上端には、遊技領域３に到達した打玉が逆流しないようにするため、逆流防止装置２０が取り付けられている。また、遊技盤１の表面の最下方には、上記したいずれの入賞領域にも入賞しなかった打玉が遊技盤１の後方に導かれるアウト口２１が設けられている。また、遊技盤１の裏面には、上記した各入賞口や入賞領域に入賞した入賞玉を所定の誘導経路に沿って下方に導く集合カバー体２２（図２参照）が密着固定されている。
【００１５】
次に、本実施例の要部を構成する可変表示装置３０の構成について図１乃至図１３を参照して説明する。可変表示装置３０は、前記遊技盤１の表面に取り付けられる装飾取付板３１と、遊技盤１の裏面に取り付けられる回転ベルト装置５０とに分けられる。そこで、まず遊技盤１の表面に取り付けられる装飾取付板３１の構成について図１及び図２を参照して説明する。図１は、前述した通りであり、図２は、可変表示装置３０の断面図である。図において、装飾取付板３１には、長方形状の表示窓３２が開設され、該表示窓３２の後方に傾斜状に設けられる透明板３３の後方にフィルムベルト１９０Ａ〜１９０Ｃが表示されるようになっている。また、装飾取付板３１の上部中央には、ワープ入口３４が突設形成され、該ワープ入口３４に入球した打玉は、装飾取付板３１の後面上部に形成されるワープ上流通路３５を通って前記透明板３３の傾斜上端部に到達する。透明板３３には、図１に示すように各フィルムベルト１９０Ａ〜１９０Ｃの間隔に対応する位置にワープ転動通路３６ａ，３６ｂが形成されており、前記ワープ上流通路３５から放出された打玉がワープ転動通路３６ａ，３６ｂを下方に向かって流下するようになっている。ワープ転動通路３６ａ，３６ｂを流下する打玉は、そのまま遊技領域３に放出されるが、遊技領域３に植立される障害釘（図示しない）に衝突していろいろな方向へ反発されるが、そのうちの一部の打玉は、前記始動入賞口４に導かれる。
【００１６】
上記したワープ入口３４の下方には、前記可変入賞球装置６の開閉板８の継続回数を表示する開成回数表示器３７が設けられている。また、装飾取付板３１の表示窓３２の上部偶角部には、障害部材４１ａ，４１ｂがビスにて螺着され、表示窓３２の下部偶角部にも、玉誘導部材４０ａ，４０ｂがビスにて螺着されている。障害部材４１ａ，４１ｂは、遊技領域３を落下する打玉が表示窓３２内に侵入するのを避けるために装飾取付板３１に突設されるものであり、玉誘導部材４０ａ，４０ｂは、遊技領域３を落下する打玉の一部を受け止めて装飾取付板３１の中央部分から遊技領域３に再放出させるために装飾取付板３１に突設されるものである。なお、障害部材４１ａ，４１ｂの内部には、飾りＬＥＤ３８が設けられており、また、玉誘導部材４０ａ，４０ｂの内側端部に挟まれる装飾取付板３１には、複数（４つ）の始動記憶表示ＬＥＤ３９が設けられている。
【００１７】
次に、可変表示装置３０の一方の構成要素である回転ベルト装置５０の構成について図２乃至図１３を参照して説明する。回転ベルト装置５０は、図３に示すように、収納ケース５１と回転ベルトユニット１００Ａ〜１００Ｃとから構成される。そこで、まず、収納ケース５１について図２乃至図４を参照して説明する。図２は、前述したとおりであり、図３は、回転ベルト装置５０を正面から見た斜視図であり、図４は、収納ケース５１を正面から見た分解斜視図である。
【００１８】
図において、回転ベルトユニット１００Ａ〜１００Ｃを収納する収納ケース５１は、前方が開放した箱状に形成され、その前方の開口５２から３つの回転ベルトユニット１００Ａ〜１００Ｃを挿入支持することができるようになっている。より具体的な構成について説明すると、図４に示すように、収納ケース５１の開口５２には、フランジ片が突設され、該フランジ片のうちの上部に後述する止着枠金具８０との位置決めを行う位置決めピン５３が適宜間隔で形成されている。また、収納ケース５１の後面には、内部で発生する熱を外部に放出する長方形状の熱抜き開口５４が開設され、該熱抜き開口５４の裏面に支持金属板６７が止着されるようになっている。この支持金属板６７には、その下方に位置決め穴６９が穿設されると共に、その上部に係止突片７０が突設され、この位置決め穴６９と係止突片７０とが、回転ベルトユニット１００Ａ〜１００Ｃの左右の取付ベース１０１ａ，１０１ｂに形成される位置きめ水平突片１１５ａと取付凹部１１６ｂとそれぞれ係合して回転ベルトユニット１００Ａ〜１００Ｃの収納ケース５１に対する仮止めを行うことができるようになっている。なお、位置決め穴６９は、４個形成され、中央の２個は、２つの位置決め水平突片１１５ａが挿入され、左右の２個は、１つの位置決め水平突片１１５ａが挿入されるようになっている。
【００１９】
また、収納ケース５１には、その底面に複数（３つ）の底面開口５５が開設され、その上面に複数（２つ）のワープ連通口５６が形成されている。底面開口５５は、回転ベルトユニット１００Ａ〜１００Ｃへの配線接続を行うための開口であり、ワープ連通口５６は、前記ワープ上流通路３５とワープ転動通路３６ａ，３６ｂとを連通するための穴である。また、収納ケース５１の背面には、前述したように熱抜き開口５４が形成されると共に、後述する支持金属板６７、及び回転ベルトユニット１００Ａ〜１００Ｃの取付ベース１０１ａの取付片１１６とをビスで共締めするための取付穴５７，７２が形成されている。ただし、取付穴５７には、後述する取付金具６０も共締めされる。更に、収納ケース５１の底面の裏側には、後述する中継基板７３を取り付けるための取付ボス５８が突設されている。
【００２０】
また、収納ケース５１には、該収納ケース５１の上面、後面、及び底面を囲むようにコ字状に形成される一対の取付金具６０が設けられるが、各取付金具６０の上部先端に取付穴６１ａを有する取付片６１が形成され、下部先端に取付穴６２ａを有する取付片６２がそれぞれ形成されている。取付片６１は、後述する止着枠金具８０の取付穴８４を有する取付片８３に対応され、取付片６２は、収納ケース５１の取付穴５９ａを有する取付凹部５９及び止着枠金具８０の取付穴８６を有する取付凹部８５にそれぞれ対応するものである。しかして、それぞれの対応関係において、各片及び部を重合した状態でビス６５，６６を螺着することにより、回転ベルトユニット１００Ａ〜１００Ｃを収納した収納ケース５１を遊技盤１の裏面に取付穴８１によって固着されている止着枠金具８０に取り付けることができる。また、取付金具６０には、後部に取付穴６３が形成され、この取付穴６３にビス６４を螺着することにより、取付金具６０を収納ケース５１に固着する。このとき、回転ベルトユニット１００Ａ〜１００Ｃと後述する支持金属板６７も同時に止着される。なお、止着枠金具８０の上部には、収納ケース５１の前記位置決めピン５３を嵌合する位置決め穴８２が穿設されていると共に、その下部に後方に突出する押え片８７が突設されている。この押え片８７には、係合溝８８が形成されており、収納ケース５１を止着枠金具８０に止着する際に、係合溝８８が回転ベルトユニット１００Ａ〜１００Ｃの取付ベース１０１ａ，１０１ｂの下部前方に突設される位置決め垂直突片１１５ｂと係合して、各回転ベルトユニット１００Ａ〜１００Ｃの前方下部部分の位置決めを行うようになっている。
【００２１】
また、収納ケース５１の裏面には、回転ドラムユニット１００Ａ〜１００Ｃの後端部を支持する支持金属板６７が固着されている。この支持金属板６７には、多数の熱抜き穴６８が穿設されていると共に、前記した位置決め穴６９及び係止突片７０が形成されている。しかして、前記取付金具６０と支持板金属板６７とを重合した状態で収納ケース５１の裏面に当接し、その状態で回転ベルトユニット１００Ａ〜１００Ｃを収納ケース５１に収納し、取付金具６０の取付穴６３といずれか１つの熱抜き穴６８と収納ケース５１の取付穴５７と回転ベルトユニット１００Ａ，１００Ｃの取付穴１１６ａとを一致せしめ、その一致した箇所にビス６４を螺着すると共に収納ケース５１の取付穴７２及び回転ベルトユニット１００Ｂの取付穴１１６ａとを一致する熱抜き穴６８にビス７１を螺着することにより回転ベルトユニット１００Ａ〜１００Ｃ及び支持金属板６７を収納ケース５１に止着することができる。そして、支持金属板６７を収納ケース５１の裏面に止着した状態で、前記位置決め穴６９及び係止突片７０が収納ケース５１の後面に形成される熱抜き開口５４に臨むようになっているので、回転ベルトユニット１００Ａ〜１００Ｃを収納ケース５１内に収納したときに、取付ベース１０１ａ，１０１ｂに形成される位置決め水平突片１１５ａが位置決め穴６９に挿入され、係止突片７０が回転ベルトユニット１００Ａ〜１００Ｃの取付ベース１０１ａに形成される取付片１１６の取付凹部１１６ｂと係合した状態となっている。これによって支持金属板６７と回転ベルトユニット１００Ａ〜１００Ｃとの位置関係が収納ケース５１を介して正確なものとなっている。
【００２２】
一方、収納ケース５１の底面には、中継基板７３が取り付けられるようになっている。中継基板７３には、前記取付ボス５８に対応する位置に取付穴７４が形成されると共に、その上面にセンサ・モータ・ランプコネクタ７５ａ〜７５ｃ、集合コネクタ７６が実装されている。センサ・モータ・ランプコネクタ７５ａ〜７５ｃには、後述する基板１６０の集合コネクタ１６６が接続されるものであり、集合コネクタ７６には、図示しない遊技制御コントロール基板（遊技動作を制御するもの）に直接接続される集合配線（図示しない）が接続されるものである。上記のように構成される中継基板７３は、その下方に導電性の合成樹脂によって構成される基板カバー７７に被覆されるようにして取り付けられるものであるが、その取付構造は、基板カバー７７に形成された間隔保持取付穴７８と前記取付穴７４とを位置合わせした後、基板カバー７７の下方からビス７９を差し込んで前記取付ボス５８に螺着することにより、基板カバー７７と中継基板７３とを同時に取り付けるものである。なお、間隔保持取付穴７８は、中継基板７３の裏面のハンダ面と基板カバー７７との表面とが接触しないように所定の間隔を保持するようにするものである。
【００２３】
以上、回転ベルト装置５０の収納ケース５１について説明してきたが、次に、収納ケース５１に収納される回転ベルトユニット１００Ａ〜１００Ｃの構成について説明する。３つの回転ベルトユニット１００Ａ〜１００Ｃは、ほとんどその構成が同じであるため、１つの回転ベルトユニットの構成について、図３及び図５乃至図１３を参照して説明する。そして、以下の説明では、３つを区別する必要があるときには、数字符号の後に英大文字を付した「１００Ａ〜１００Ｃ」と記載し、単独で説明するときには、数字符号の「１００」とだけ記載する。なお、図３は、前述したとおりであり、図５は、回転ドラムユニット１００の分解斜視図であり、図６は、回転ドラムユニット１００の側方断面図であり、図７は、ベルトの傾斜に沿って切断した断面図であり、図８は、背面から見た場合の断面図であり、図９は、センサ部分の詳細を示す断面図であり、図１０は、ステッピングモータの取付を示す断面図であり、図１１は、フィルムベルト１９０と回転体との支持関係を示す説明図であり、図１２は、駆動プーリ１４１の詳細を示す部分断面図であり、図１３は、フィルムベルト１９０の部分平面図である。
【００２４】
回転ベルトユニット１００は、図５に示すように、所定間隔を保持して対設される一対の取付ベース１０１ａ，１０１ｂ間にステッピングモータ１５０によって駆動される駆動プーリ１４１、従動プーリ１３９、張力を付与するテンションプーリ１３６を設けると共に、該プーリ１４１，１３９，１３６の外周にフィルムベルト１９０を掛け渡すことにより構成されている。そして、図示の実施例では、３つのプーリ１４１，１３９，１３６がほぼ二等辺三角形の頂点に配置されるようになっており、駆動プーリ１４１とテンションプーリ１３６とを結ぶ傾斜面のフィルムベルトが前記収納ケース５１の開口５２に臨んで遊技者の視認し得る表示部分となる。そこで、以下、回転ベルトユニット１００の構成要素毎に分けて説明する。
【００２５】
まず、回転ベルトユニット１００の支持台となる取付ベース１０１ａ，１０１ｂについて説明する。取付ベース１０１ａ，１０１ｂは、その外周形状がほぼ二等辺三角形状の金属板によって構成され、一方の取付ベース１０１ａが基準ベースとして構成され、他方の取付ベース１０１ｂが補助ベースとして構成されている。即ち、基準側取付ベース１０１ａには、駆動プーリ１４１を回転自在に軸支する駆動プーリ軸１０２、従動プーリ１３９を回転自在に軸支する従動プーリ軸１０３、及びテンションプーリ１３６の下方に位置する間隔保持軸１０４を樫めることにより固着されると共に、ステッピングモータ１５０を取り付けるモータ取付片１０５が一体的に形成されている。一方、補助側取付ベース１０１ｂには、後述する位置検出器としてのセンサ１８３，１８４を有するセンサ基板１８０を取り付けるスイッチ取付片１０９が形成されると共に、前記駆動プーリ軸１０２、従動プーリ軸１０３、間隔保持軸１０４の一端がビスで止着される。つまり、回転ベルトユニット１００の機能として正確性を維持する必要のあるプーリ１４１，１３９，１３６の取付位置、駆動源としてのステッピングモータ１５０の取付位置をそれぞれ１つの基準側取付ベース１０１ａが基準となるようにしたので、それらが左右の取付ベース１０１ａ，１０１ｂに別々に設けられて組み付けられた場合と比較して、組み付け時の不具合による正確性の欠如をなくすことができる。なお、図示の実施例の場合には、二等辺三角形の頂角部の位置に駆動プーリ軸１０２が設けられ、後方底辺等角部に従動プーリ軸１０３が設けられ、前方底辺等角部よりやや後方で従動プーリ１０３よりやや上方に間隔保持軸１０４（後述するテンションプーリ軸１３１がその前方に設けられている）が設けられている。
【００２６】
しかして、左右の取付ベース１０１ａ，１０１ｂには、そのほぼ中央に重量を軽減するための軽減穴１０８ａ，１０８ｂが形成されると共に、前記駆動プーリ軸１０２の周囲にも軽減穴１１２ａ，１１２ｂが形成されている。基準側取付ベース１０１ａに形成される軽減穴１０８ａの斜め上下から前記モータ取付片１０５が内側に向かって曲折形成されており、そのモータ取付片１０５の先端部がステッピングモータ１５０の取付板１５２の取付片部を載置できるように取付ベース１０１ａと平行状となるように折曲片部１０６として形成され、その折曲片部１０６の中心に取付穴１０７が穿設されている。したがって、ステッピングモータ１５０をモータ取付片１０５に止着するには、ステッピングモータ１５０の取付板１５２の取付片部をモータ取付片１０５の上面に載置して取付板１５０の取付片部に穿設された取付穴１５３とモータ取付片１０５の取付穴１０７とが合致するので、その合致した状態でビス１５３ａを螺着することにより、図１０に示すように、ステッピングモータ１５０を基準側取付ベース１０１ａに固定することができる。
【００２７】
また、補助側取付ベース１０１ｂに形成されるスイッチ取付片１０９は、軽減穴１０８ｂの後方開口縁から内側に折曲されたコ字状片によって形成され、下部の折曲片に止め片１１０が形成され、上部の折曲片に止め穴１１１が形成されている。しかして、このスイッチ取付片１０９にセンサ１８３，１８４を有するセンサ基板１８０を取り付けるには、図９に示すように、センサ基板１８０をスイッチ取付片１０９に載置しながらその一端側辺に形成される取付凹部１８１を止め片１１０に係合させ、センサ基板１８０の他端よりに穿設された取付穴１８２を止め穴１１１に合致させて下方からビスを螺着することによりセンサ基板１８０を補助側取付ベース１０１ｂに固定することができる。
【００２８】
また、取付ベース１０１ａ，１０１ｂには、前記駆動プーリ軸１０２、従動プーリ軸１０３、及び間隔保持軸１０４を固着する部分に、逃げ凹部１１３ａ，１１３ｂ（１１３ａは、図７参照）が形成されている。補助側取付ベース１０１ｂに形成される逃げ凹部１１３ｂは、ビス１１４ａを止着する際にビス１１４ａの頭部が補助側取付ベース１０１ｂの平面から外側に突出しないようにするものであり、基準側取付ベース１０１ａに形成される逃げ凹部１１３ａは、各軸１０２，１０３，１０４の僅かに突出する樫め部分を収納すると共に、回転ベルトユニット１００Ａ〜１００Ｃを収納ケース５１に収納したときに隣り合う補助側取付ベース１０１ｂの前記ビス１１４ａの頭部が多少逃げ凹部１１３ｂから突出していてもその突出部分を収納して隣り合う取付ベース１０１ａ，１０１ｂを密着した状態で収納ケース５１に収納するためのものである。しかして、基準側取付ベース１０１ａに固着された軸１０２，１０３，１０４の他端を補助側取付ベース１０１ｂに止着するには、補助側取付ベース１０１ｂの取付凹部１１３ｂの中心に穿設された取付穴１１４に軸１０２，１０３，１０４の他端部を対応させてビス１１４ａを螺着することにより、基準側取付ベース１０１ａと補助側取付ベース１０１ｂとが軸１０２，１０３，１０４を介して連結される。
【００２９】
また、取付ベース１０１ａ，１０１ｂには、前記収納ケース５１の所定の位置に取り付けるための位置決め突片１１５ａ，１１５ｂ、取付片１１６（基準側取付ベース１０１ａのみ）が形成されている。位置決め水平突片１１５ａは、取付ベース１０１ａ，１０１ｂの後端下部に後方に向かって突設され、位置決め垂直突片１１５ｂは、取付ベース１０１ａ，１０１ｂの前方下辺に下方に向かって突設されるものであり、それぞれ前述したように、支持金属板６７の位置決め穴６９、止着枠金具８０の係合溝８８に嵌合されるものである。また、取付片１１６は、基準側取付ベース１０１ａの後部垂直辺のほぼ中程に内側に向かって突設されるもので、前記したように各回転ベルトユニット１００Ａ〜１００Ｃを収納ケース５１の背面壁に止着するための取付穴１１６ａが形成されると共に、前記支持金属板６７の係止突片７０を係止するための取付凹部１１６ｂが形成されている。
【００３０】
更に、取付ベース１０１ａ，１０１ｂには、上部の傾斜面に沿って複数の干渉防止穴１１７、ハンダ部逃げ穴１１８、基板取付穴１１９が形成されている。具体的には、基準側取付ベース１０１ａには、干渉防止穴１１７が複数個形成されている。この干渉防止穴１１７は、隣り合う回転ドラムユニット１００Ａ，１００Ｂのハンダ部逃げ穴１１８及び基板取付穴１１９からの突出部を逃げるためのものである。一方、ハンダ部逃げ穴１１８は、補助側取付ベース１０１ｂの内側に取り付けられる基板１６０に植立される蛍光管ランプ１６３のランプ配線足１７３（図７参照）の突出部を逃がすためのものである。なお、基板取付穴１１９からの突出物としては、基板１６０及びランプカバー１６８を止着するためのビス１２０の頭部である。
【００３１】
また、補助側取付ベース１０１ｂには、軽減穴１０８ｂの下方に基板１６０の下部の係合取付穴１６２と係合する基板取付フック１２１が内側に向かって突設されている。更に、取付ベース１０１ａ，１０１ｂには、上記した構成以外に適着の任意の箇所に軽減穴１２２が形成されている。
【００３２】
取付ベース１０１ａ，１０１ｂの概の構成は、上記した通りであるが、この一対の取付ベース１０１ａ，１０１ｂ間に挟持されるプーリ１３６、１３９，１４１の取付構造について次に説明する。まず、前方下端部に回転自在に軸支されるテンションプーリ１３６の取付構造について説明する。取付ベース１０１ａ，１０１ｂの前方下部には、テンションプーリ１３６を軸支するテンションプーリ軸１３１を支持するスライド案内部材１２６ａ，１２６ｂを取り付ける位置決め長穴１２３ａ，１２３ｂが穿設され、該位置決め長穴１２３ａ，１２３ｂの後端部に係合片部１２４ａ，１２４ｂが形成され、位置決め長穴１２３ａ，１２３ｂの前方上下部に挟持片部１２５ａ，１２５ｂが形成されている。しかして、スライド案内部材１２６ａ，１２６ｂ後端の係合部１２８ａ，１２８ｂを前記係合片部１２４ａ，１２４ｂに係合した状態でスライド案内部材１２６ａ，１２６ｂ前方部の係合段部１２９ａ，１２９ｂを挟持片部１２５ａ，１２５ｂに挟持することにより、スライド案内部材１２６ａ，１２６ｂを取付ベース１０１ａ，１０１ｂに取り付けることができる。なお、スライド案内部材１２６ａ，１２６ｂの後端には、後述するバネ１３５ａ，１３５ｂの下端を係止するバネ係止ピン１３０ａ，１３０ｂが突設形成されている。
【００３３】
上記のように取り付けられるスライド案内部材１２６ａ，１２６ｂの中央には、案内長穴１２７ａ，１２７ｂが形成される。そして、案内長穴１２７ａ，１２７ｂに挿入される挿入凸部１３３ａ，１３３ｂが一体的に形成される摺動部材１３２ａ，１３２ｂが案内長穴１２７ａ，１２７ｂに沿って前後方向に摺動されるが、摺動部材１３２ａ，１３２ｂには、テンションプーリ軸１３６が掛け渡される。摺動部材１３２ａ，１３２ｂの後端には、バネ係止ピン１３４ａ，１３４ｂが突設され、このバネ係止ピン１３４ａ，１３４ｂと前記スライド案内部材１２６ａ，１２６ｂのバネ係止ピン１３０ａ，１３０ｂとの間にバネ１３５ａ，１３５ｂが介装される。したがって、摺動部材１３２ａ，１３２ｂは、常にバネ１３５ａ，１３５ｂの付勢力により前方に向かって付勢されている。
【００３４】
上記したテンションプーリ軸１３１に回転自在に軸支されるテンションプーリ１３６は、その軸筒１３６ａの前後に軸受部材１３７ａ，１３７ｂが介装され、この軸受部材１３７ａ，１３７ｂを介してテンションプーリ１３６がテンションプーリ軸１３１に回転自在に軸支されている。また、テンションプーリ１３６は、図７に示すように、外周両端部にベルトガイド凸部１３８が突設され、回転するフィルムベルト１９０がプーリから外れないように案内している。
【００３５】
前記従動プーリ軸１０３に回転自在に軸支される従動プーリ１３９は、図９（Ａ）に示すように、その軸筒１３９ａの両端部に軸受部材１４０ａ，１４０ｂが介装され、この軸受部材１４０ａ，１４０ｂを介して従動プーリ１３９が従動プーリ軸１０３に回転自在に軸支されている。
【００３６】
前記駆動プーリ軸１０２に回転自在に軸支される駆動プーリ１４１は、図８に示すように、その軸筒１４１ａの両端部に軸受部材１４２ａ，１４２ｂが介装され、この軸受部材１４２ａ，１４２ｂを介して駆動プーリ１４１が駆動プーリ軸１０２に回転自在に軸支されている。また、駆動プーリ１４１の一端部外周には、歯車部１４３が一体的に形成され、この歯車部１４３とステッピングモータ１５０のモータ軸１５１に固着される歯車１５６とを噛合させることにより、ステッピングモータ１５０の回転力が駆動プーリ１４１に伝達される。このように、歯車の伝達方法を採用することにより、他の伝達方法（例えば、ベルトやゴム製円盤等）に比べると、長期間の使用によっても変形が少ないことに加えて、滑りが全くないので正確な位置で駆動プーリ１４１を停止することができる。更に、駆動プーリ１４１の外周面には、シリコンコーティング１４４が施されている。このシリコンコーティング１４４は、駆動プーリ１４１とフィルムベルト１９０との摩擦力を増すために施されるものであり、これを施すことにより、フィルムベルト１９０のスリップ量をほとんどなくしてステッピングモータ１５０によるフィルムベルト１９０の確実な回転を保証している。
【００３７】
次に、上記した駆動プーリ１４１を回転駆動せしめるステッピングモータ１５０の取付構造について説明すると、この取付は、前述した通りであり、ステッピングモータ１５０の取付板１５２の取付片部を前記モータ取付片１０５にビスで固着することにより行われる。そして、モータ取付片１０５にステッピングモータ１５０を取り付けたときには、そのステッピングモータ１５０は、３つのプーリ１３６，１３９，１４１に囲まれるようになっている。また、ステッピングモータからは配線１５４が延設されるが、その配線１５４の先端に取り付けられるコネクタ１５５は、次に説明する基板１６０のモータ接続コネクタ１６４に接続される。また、ステッピングモータ１５０のモータ軸１５１には、前記駆動プーリ１４１の歯車部１４３と噛合する歯車１５６が固着されている。この固着は、歯車１５６の中心に形成された嵌合穴１５７をモータ軸１５１に嵌合することにより正確に行われる。
【００３８】
次に、補助側取付ベース１０１ｂの内側に取り付けられる基板１６０について説明する。基板１６０は、プリント配線基板によって構成され、該基板１６０の上部に形成された取付穴１６１を前記基板取付穴１１９に対応させてビス１２０で止着することにより上部が固着され、下部に形成された係合取付穴１６２を前記基板取付フック１２１に係合することにより下部が固着される。ただし、上部をビス１２０で止着される際には、基板１６０に設けられる蛍光管ランプ１６３を被覆するランプカバー１６８も一緒に止着されることとなる。即ち、基板１６０には、図５及び図７に示すように、フィルムベルト１９０の後面から光を照射する蛍光管ランプ１６３がランプ配線足１７３によって植立され、その蛍光管ランプ１６３の光を前方部分だけに反射するように蛍光管ランプ１６３の後方を覆うランプカバー１６８が基板１６０に取り付けられるようになっている。その取付は、ランプカバー１６８に形成されるランプ貫通穴１７０及びランプホルダー１７１に蛍光管ランプ１６３を挿入支持した後に、ランプカバー１６８の側部に形成される取付穴１６９を基板１６０の取付穴１６１に対応させ、前記基板取付穴１１９からビス１２０を差し込んで螺着することにより取り付けられる。なお、ランプカバー１６８内に挿入される蛍光管ランプ１６３は、ランプカバー１６８が仕切られることにより形成される反射室１７２によってその後面側が覆われて光を反射するので、フィルムベルト１９０を明るく照射することとなる。なお、基板１６０を補助側取付ベース１０１ｂに取り付けたときには、前述したように前記基板取付穴１１９によって基板１６０と補助側取付ベース１０１ｂとの間に絶縁空間１７４が形成されるようになっていると共に、ランプ配線足１７３の基板１６０への植立部分裏側のハンダ部１６７が前記ハンダ部逃げ穴１１８に対応している。また、基板１６０には、前記したようにステッピングモータ１５０の配線１５４のコネクタ１５５を接続するためのモータ接続コネクタ１６４と、前記センサ基板１８０に設けられるセンサ１８３，１８４からの配線１８６の先端に設けられるコネクタ１８７を接続するためのセンサ接続コネクタ１６５と、前記センサ・モータ・ランプコネクタ７５ａ〜７５ｃと接続するための集合コネクタ１６６とが設けられている。
【００３９】
次に、前記スイッチ取付片１０９に取り付けられるセンサ基板１８０について説明すると、センサ基板１８０には、その下端部に前記止め片１１０と係合する取付凹部１８１が形成され、その上端部よりに前記止め穴１１１に対応する取付穴１８２が形成され、前述したように取付凹部１８１と取付穴１８２とによってスイッチ取付片１０９に取り付けられるものである。また、センサー基板１８０には、所定間隔をおいて一対のセンサ１８３（以下、センサＡという）、１８４（以下、センサＢという）が実装されると共に、コネクタ１８５が実装され、コネクタ１８５に接続される配線１８６の他方のコネクタ１８７が前記センサ接続コネクタ１６５に接続されるようになっている。
【００４０】
センサＡ，Ｂは、図９（Ａ）に示すように、共に発光素子１８３ａ，１８４ａと受光素子１８３ｂ，１８４ｂとがフィルムベルト１９０に対して同一側に並列状に設けられるものであり、発光素子１８３ａ，１８４ａから照射された光（近赤外線）が臨設する受光素子１８３ｂ，１８４ｂによって受光されたときに検出信号を導出するものである。この場合、図９（Ａ）に示す発光素子１８３ａ，１８４ａと受光素子１８３ｂ，１８４ｂとの配置関係は、図９（Ｃ）に示すように、受光素子１８３ｂ，１８４ｂ同士が外側に位置し、発光素子１８３ａ，１８３ｂ同士が内側に位置している。これは、図９（Ｂ）に示すように、発光素子１８３ａ，１８４ａが外側に位置し、受光素子１８３ｂ，１８４ｂが内側に位置した関係にすると、一方の発光素子１８３ａ又は１８４ａから発せられた光が両方の受光素子１８３ｂ，１８４ｂに受光され、ご検出する虞れがある。これを防止するために、本実施例では、図９（Ｃ）に示すようにしたものである。なお、検出信号は、フィルムベルト１９０に形成される図柄位置検出指標１９１及び基準位置検出指標１９２が通過したときに導出されるようになっている。
【００４１】
上記のように取付ベース１０１ａ，１０１ｂ間に回転自在に設けられるプーリ１３６，１３９，１４１に掛け渡されるフィルムベルト１９０は、極めて薄い合成樹脂製の帯を無端状に形成したものであり、その外周に複数個の識別情報としての図柄が形成され、その図柄毎に対応するようにフィルムベルト１９０の一端部外側に図柄位置検出指標１９１が形成されている。この図柄位置検出指標１９１は、前記センサＡ，Ｂの発光素子１８３ａ，１８４ａから照射する光を効率よく反射する反射塗料によって形成され、各図柄位置検出指標１９１は、同時に両方のセンサＡ，ＢをＯＮさせない間隔、逆を言えば、図柄位置検出指標１９１の形成間隔よりも僅かに狭い間隔をもって２つのセンサＡ，Ｂが前記センサ基板１８０に設けられている。ただし、図柄位置検出指標１９１のうち、１つのものは、やや長く形成された基準位置検出指標１９２として形成されているため、この基準位置検出指標１９２と隣接する図柄位置検出指標１９１とが２つのセンサＡ，Ｂを同時にＯＮさせることとなる。したがって、この基準位置検出指標１９２が検出される毎にステッピングモータ１５０のステップ数をリセットして、その都度カウントすることにより、ステッピングモータ１５０への供給ステップ数を制御して所望の図柄を所望の位置で停止制御することができる。ただし、ステッピングモータ１５０への供給ステップ数だけで制御する場合には、フィルムベルト１９０とプーリ１３６，１３９，１４１間でスリップが生じたときに所望の位置からずれて図柄が表示される場合があるので、図柄の停止は、ステッピングモータ１５０への供給ステップ数と図柄位置検出指標１９１の検出とによって行っている。なお、スリップ現象が大幅に起こる可能性はないので、図柄位置検出指標１９１は、すべての図柄に対応するように設けなくても良く、例えば、１つおき、２つおきに形成しても良い。また、指標は、吸収塗料又は吸収部材にしてベルトの材質を反射するようにしても良い。なお、フィルムベルト１９０に形成される図柄位置検出指標１９１及び基準位置検出指標１９２が内側に形成されているため、長期間の使用によって各プーリ１３６，１３９，１４１との摩擦によりそれらの指標１９１，１９２が摩耗してしまう虞れがあるため、本実施例においては、特に摩擦力が強くなると予測できる駆動プーリ１４１の一側（歯車部１４３側）に、図１２に示すように、指標回避凹部１４５が形成されている。もちろん、駆動プーリ１４１以外のプーリ１３６，１３９にも指標回避凹部１４５を形成しても良い。
【００４２】
また、本実施例におけるフィルムベルト１９０に形成される識別情報は、図１３に示されるように、余白地１９６に所定の間隔で当り図柄１９３と外れ図柄１９４とが形成され、特に当り図柄１９３の周囲には、境界部１９５が外周形状に沿って形成されている。そして、当り図柄１９３は、光を透過し得る顔料によって着色され、外れ図柄１９４及び境界部１９５は、金属光沢のある顔料で着色され、余白部１９６は、光をほとんど透過しない顔料で着色されているものである。これにより、前記蛍光管ランプ１６３によって後面から照射されるフィルムベルト１９０においては、当り図柄１９３部分を光が透過するので、当り図柄をより鮮明に且つ明瞭に見ることができる。
【００４３】
また、図示の実施例の場合には、基準側取付ベース１０１ａに補助側取付ベース１０１ｂを取り付けた状態では、フィルムベルト１９０をプーリ１３６，１３９，１４１間に掛け渡すことはできないので、基準側取付ベース１０１ａにステッピングモータ１５０、及び各プーリ１３６，１３９，１４１を取り付けた状態でフィルムベルト１９０を掛け渡し、その後、センサー基板１８０，基板１６０を取り付けた補助側取付ベース１０１ｂを所定の位置に取り付けるようにして組み付ける必要がある。この場合、基準側取付ベース１０１ａに多くの部品を先に正確に取り付けてあるので、その組み付け作業を容易に行うことができる。ただし、テンションプーリ１３６のバネ１３５ｂをスライド案内部材１２６ｂのバネ係止ピン１３０ｂに挿入する作業だけは、容易というわけにはいかず、注意して組み付けなければならない。
【００４４】
以上、実施例に係る回転ドラム装置５０の回転ベルトユニット１００の構成について詳細に説明してきたが、本実施例に係る回転ベルトユニット１００の特徴を挙げれば、以下の通りである。
【００４５】
まず、第１番目の特徴としては、図１１（Ａ）に示すように、遊技者が視認可能な範囲のフィルムベルト１９０を傾斜状となるように配置した点である。即ち、可変表示装置３０の表示窓３２を介して上下方向に３つの識別情報が視認可能とした場合に、垂直状にフィルムベルト１９０が配置されていたときには、１つの識別情報の大きさが表示窓３２の間隔を三等分した間隔ａ，ｂ，ｃ（ａ＝ｂ＝ｃ）となるが、本実施例のように、遊技者が視認可能な範囲のフィルムベルト１９０を傾斜状となるように配置したときには、ａ＜ａ′，ｂ＜ｂ′，ｃ＜ｃ′という関係にあるａ′，ｂ′，ｃ′という大きさを有する識別情報とすることができる。したがって、フィルムベルト１９０を傾斜状に設けることにより、識別情報を表示する表示面を大きくすることができるため、迫力ある識別情報を形成することができ、また、その傾斜に沿って識別情報に奥行き感を持たせることができて、立体感を付与することができる。
【００４６】
第２番目の特徴としては、図１１（Ａ）に示すように、フィルムベルト１９０を三角形状に配置されたプーリによって支持しているので、破線で示す上下２点支持のものよりベルト周長を長くすることができる、１つのフィルムベルト１９０に比較的多くの識別情報を形成できることに加えて、一転鎖線で示す４点支持（駆動プーリ１４１とテンションプーリ１３６と２つの従動プーリ１４６，１４７で支持）のものより、前後方向の幅寸法をＬ２だけ短くすることができるので、可変表示装置３０をコンパクト化することができる。特に、本実施例のように、ほぼ直角三角形の関係にある３点支持プーリがやや傾いた状態、即ち、テンションプーリ１３６よりも従動プーリ１３９が下方に位置して直径の大きな駆動プーリ１４１の真下に従動プーリ１３９が位置するように配置することにより、後方への突出量をさらに抑制することができる。
【００４７】
第３番目の特徴としては、図１１（Ｃ）に示すように、テンションプーリ１３６及び従動プーリ１３９の直径を駆動プーリ１４１の直径よりも小さく形成したことである。即ち、図１１（Ｂ）に示すように、３点支持する全てのプーリ１３６Ａ，１３９Ａ，１４１を同一径とした場合には、回転ベルトユニット１００が大型化してしまうが、図１１（Ｃ）に示すように本実施例のように、テンションプーリ１３６及び従動プーリ１３９の直径を駆動プーリ１４１の直径よりも小さく形成することにより、若干フィルムベルト１９０の周長が短くなるが、それ以上に大幅な小型化を達成することができる。
【００４８】
第４番目の特徴としては、図２に示すように、フィルムベルト１９０の傾斜下端が遊技盤１の裏面より前方であって遊技盤１の肉厚内に位置することにより、その分、回転ベルトユニット１００を前方に移動した状態で遊技盤１に取付得るので、後方への突出量を抑制することができる。この場合、フィルムベルト１９０の傾斜下端を直径の小さいテンションプーリ１３６としているので、そのテンションプーリ１３６が遊技盤１の肉厚内に十分配置し得るものである。なお、図示の実施例では、フィルムベルト１９０の傾斜下端が遊技盤１の肉厚内に位置するものを示したが、その傾斜下端が遊技盤１の表面より前方（遊技盤１の表面とガラス板との間の遊技空間）に突出していても良い。
【００４９】
なお、上記した実施例では、傾斜下端にテンションプーリ１３６を配置したものを示したが、傾斜下端に通常の従動プーリ１３９を配置し、後方下部にテンションプーリ１３６を配置しても良い。いずれにしても、センサ１８３，１８４の対面する位置は、駆動プーリ１４１と通常のプーリ１３９とを結ぶフィルムベルト１９０に対応する位置が望ましい。何故なら、フィルムベルト１９０の移動軌跡が変化せず、安定的に検出動作ができるからである。
【００５０】
【発明の効果】
以上、説明したところから明らかなように、本発明においては、ベルト式可変表示装置が、モータによって駆動される１つの駆動回転体と２つの従動回転体からなる３つの回転体のうち、２つの回転体である上部回転体と下部回転体が上下位置であり１つの回転体である前方回転体が前記２つの回転体よりも前方となるように三角形状に配置し、それら３つの回転体間にベルトを掛け渡すと共に、遊技者が視認可能な範囲のベルトを上部回転体と前方回転体とに掛け渡された傾斜状となるように配置した回転ベルトユニットを備えて構成されるので、視認し得るベルトが傾斜状となっているため、その分、識別情報の大きさを大きくすることができると共に、ベルトを三角支持しているので、上下２点支持のものよりベルト周長を長くすることができ、四角形支持のものより小型化することができる。また、３つの回転体のうち、少なくとも駆動回転体の外周一側には、ベルトの一側端内側に形成される位置検出指標と接触しない指標回避凹部を形成したので、長期間の使用によって位置検出指標が駆動回転体との摩擦により摩耗することを防止することができる。
【図面の簡単な説明】
【図１】  実施例に係る遊技機としてのパチンコ遊技機の遊技盤の正面図である。
【図２】  遊技盤に設けられる可変表示装置部分の断面図である。
【図３】  可変表示装置を構成する回転ベルト装置の一部分解斜視図である。
【図４】  回転ベルト装置の収納ケースの分解斜視図である。
【図５】  回転ベルト装置を構成する回転ベルトユニットの分解斜視図である。
【図６】  回転ベルトユニットの側面図である。
【図７】  フィルムベルトの傾斜面に沿って切断した回転ベルトユニットの断面図である。
【図８】  回転ベルトユニットの背面から見た断面図である。
【図９】  回転ベルトユニットのセンサ基板部分を示す断面図である。
【図１０】  回転ベルトユニットのモータ取付部分を示す断面図である。
【図１１】  本実施例の特徴を説明するための説明図である。
【図１２】  駆動プーリ部分の一部破断側面図である。
【図１３】  フィルムベルトの部分正面図である。
【符号の説明】
１  遊技盤
３０  可変表示装置
３１  装飾取付板
５０  回転ベルト装置
５１  収納ケース
１００  回転ベルトユニット
１０１ａ  基準側取付ベース
１０１ｂ  補助側取付ベース
１０２  駆動プーリ軸
１０３  従動プーリ軸
１０４  間隔保持軸
１０５  モータ取付片
１０９  スイッチ取付片
１３１  テンションプーリ軸
１３６  テンションプーリ
１３９  従動プーリ
１４１  駆動プーリ
１５０  ステッピングモータ
１６０  基板
１８０  センサ基板
１８３  センサＡ
１８４  センサＢ
１９０  フィルムベルト
１９１  図柄位置検出指標
１９２  基準位置検出指標
【図１】
0003923095.tif 000002
【図２】
0003923095.tif 000003
【図３】
0003923095.tif 000004
【図４】
0003923095.tif 000005
【図５】
0003923095.tif 000006
【図６】
0003923095.tif 000007
【図７】
0003923095.tif 000008
【図８】
0003923095.tif 000009
【図９】
0003923095.tif 000010
【図１０】
0003923095.tif 000011
【図１１】
0003923095.tif 000012
【図１２】
0003923095.tif 000013
【図１３】
0003923095.tif 000014